(57)【要約】【課題】  管理情報をプロトコル変換機に入力する手間を低減することができるプロトコル変換機、プロトコル変換システム、設備機器の管理方法及び管理プログラムを提供する。【解決手段】  プロトコル変換機３０は、ネットワーク５０とＢＡＣｎｅｔネットワーク１０とを接続する。プロトコル変換機３０は、認識部３４と、生成部３５とを備える。ネットワーク５０は、空調機システム群６０の室内機６２ａ等に接続されるためのネットワークである。ＢＡＣｎｅｔネットワーク１０は、管理装置２０に接続されているネットワークであり、ネットワーク５０とは異なるプロトコルを用いたネットワークである。管理装置２０は、室内機６２ａ等を管理する。認識部３４は、室内機６２ａ等がネットワーク５０に接続されたことを認識する。生成部３５は、認識部３４が認識した情報に基づき、オブジェクトのインスタンス３８４を生成する。オブジェクトのインスタンス３８４は、管理装置２０が室内機６２ａ等を管理するための情報である。【選択図】      図１
2005130025.tif 000002
【特許請求の範囲】
【請求項１】
設備機器（６１ａ，６１ｂ，・・・，６２ａ，６３ｂ，６４ａ，・・・，６２ｂ，６３ｂ，６４ｂ，・・・，８１，８２，８３，８４，８５，・・・（以下６１ａ等とする））に接続されるためのネットワークである第１ネットワーク（５０）と、前記設備機器（６１ａ等）を管理する管理装置（２０，１２０）に接続されているネットワークであり前記第１ネットワーク（５０）とは異なるプロトコルを用いたネットワークである第２ネットワーク（１０，１１０）と、を接続するプロトコル変換機（３０，１３０）であって、
前記設備機器（６１ａ等）が前記第１ネットワーク（５０）に接続されたことを認識する認識部（３４）と、
前記認識部（３４）が認識した情報（３４１）に基づき、前記管理装置（２０，１２０）が前記設備機器（６１ａ等）を管理するための情報である管理情報（３７１，３８４，３８５，１３８）を、生成する生成部（３５，１３５）と、
を備えた、
プロトコル変換機（３０，１３０）。
【請求項２】
前記認識部（３４）は、前記設備機器（６１ａ等）とは異なる設備機器である他の設備機器（６１ａ等）が前記第１ネットワーク（５０）において追加された場合にも、前記他の設備機器（６１ａ等）が前記第１ネットワーク（５０）に接続されたことを認識し、
前記生成部（３５，１３５）は、前記認識部（３４）が認識した情報（３４１）に基づき、前記管理装置（２０，１２０）が前記他の設備機器（６１ａ等）を管理するための情報である他の管理情報（３７１，３８４，３８５，１３８）を、生成する、
請求項１に記載のプロトコル変換機（３０，１３０）。
【請求項３】
前記認識部（３４）は、前記設備機器（６１ａ等）が更新された場合にも、前記設備機器（６１ａ等）が前記第１ネットワーク（５０）に接続されたことを認識する、
請求項１に記載のプロトコル変換機（３０，１３０）。
【請求項４】
前記第１ネットワーク（５０）を経由して前記設備機器（６１ａ等）に問い合わせる信号を送信する送信部（３１，１３１）と、
前記第１ネットワーク（５０）を経由して前記設備機器（６１ａ等）から応答の信号を受信する受信部（３３，１３３）と、
をさらに備え、
前記認識部（３４）は、前記応答の信号に基づき、前記設備機器（６１ａ等）が前記第１ネットワーク（５０）に接続されたことを認識する、
請求項１に記載のプロトコル変換機（３０，１３０）。
【請求項５】
前記認識部（３４）は、前記第１ネットワーク（５０）における前記設備機器（６１ａ等）のアドレス（３４２）と、前記設備機器（６１ａ等）の種類（３４３）と、を認識し、
前記生成部（３５，１３５）は、前記第１ネットワーク（５０）における前記設備機器（６１ａ等）のアドレス（３４２）と、前記設備機器（６１ａ等）の種類（３４３）と、に基づき、前記管理情報（３７１，３８４，３８５，１３８）を生成する、
請求項１又は３又は４のいずれかに記載のプロトコル変換機（３０，１３０）。
【請求項６】
前記管理情報（３７１，３８４，３８５，１３８）は、前記第１ネットワーク（５０）において送信又は受信されるのに必要な情報である送受信情報（３８１）と、前記第１ネットワーク（５０）における前記設備機器（６１ａ等）のアドレス（３７５，３８２）と、前記設備機器（６１ａ等）の監視情報又は制御情報（３７４，３８３）と、を含む、
請求項１又は３から５のいずれかに記載のプロトコル変換機（３０，１３０）。
【請求項７】
前記監視情報又は前記制御情報（３７４，３８３）は、前記設備機器（６１ａ等）の種類（３４３）に基づいて定められている、
請求項６に記載のプロトコル変換機（３０，１３０）。
【請求項８】
前記第１ネットワーク（５０）のプロトコルと前記第２ネットワーク（１０，１１０）のプロトコルとを相互に変換するプロトコル変換部（３２，１３２）をさらに備え、
前記第１ネットワーク（５０）は、クローズドネットワークであり、
前記第２ネットワーク（１０，１１０）は、オープンネットワークである、
請求項１から７のいずれかに記載のプロトコル変換機（３０，１３０）。
【請求項９】
前記管理情報（３７１，３８４，３８５，１３８）を外部に出力する出力部（３７）をさらに備えた、
請求項１又は３から８のいずれかに記載のプロトコル変換機（３０，１３０）。
【請求項１０】
前記管理情報（３７１，３８４，３８５，１３８）を記憶する記憶部（３６，１３６）をさらに備えた、
請求項９に記載のプロトコル変換機（３０，１３０）。
【請求項１１】
前記送信部（３１，１３１）は、前記管理情報（３７１，３８４，３８５，１３８）を前記第２ネットワーク（１０，１１０）経由で前記管理装置（２０，１２０）へ送信する、
請求項１又は３から８のいずれかに記載のプロトコル変換機（３０，１３０）。
【請求項１２】
前記管理情報（３７１，３８４，３８５，１３８）を記憶する記憶部（３６，１３６）をさらに備えた、
請求項１１に記載のプロトコル変換機（３０，１３０）。
【請求項１３】
請求項１から１２のいずれかに記載のプロトコル変換機（３０，１３０）と、
前記設備機器（６１ａ等）に接続されるためのネットワークである第１ネットワーク（５０）と、
前記設備機器（６１ａ等）を管理する管理装置（２０，１２０）に接続されているネットワークであり前記第１ネットワーク（５０）とは異なるプロトコルを用いたネットワークである第２ネットワーク（１０，１１０）と、
を備えた、
プロトコル変換システム。
【請求項１４】
設備機器（６１ａ等）に接続されるためのネットワークである第１ネットワーク（５０）と、前記設備機器（６１ａ等）を管理する管理装置（２０，１２０）に接続されているネットワークであり前記第１ネットワーク（５０）とは異なるプロトコルを用いたネットワークである第２ネットワーク（１０，１１０）と、を接続するプロトコル変換機（３０，１３０）において行われる前記設備機器（６１ａ等）の管理方法であって、
前記設備機器（６１ａ等）が前記第１ネットワーク（５０）に接続されたことが認識される認識ステップと、
前記認識ステップで認識された情報（３４１）に基づき、前記管理装置（２０，１２０）が前記設備機器（６１ａ等）を管理するための情報である管理情報（３７１，３８４，３８５，１３８）が、生成される生成ステップと、
を備えた、
前記設備機器（６１ａ等）の管理方法。
【請求項１５】
設備機器（６１ａ等）に接続されるためのネットワークである第１ネットワーク（５０）と、前記設備機器（６１ａ等）を管理する管理装置（２０，１２０）に接続されているネットワークであり前記第１ネットワーク（５０）とは異なるプロトコルを用いたネットワークである第２ネットワーク（１０，１１０）と、を接続するプロトコル変換機（３０，１３０）に、前記設備機器（６１ａ等）の管理を行わせる管理プログラムであって、
前記設備機器（６１ａ等）が前記第１ネットワーク（５０）に接続されたことが認識される認識ステップと、
前記認識ステップで認識された情報（３４１）に基づき、前記管理装置（２０，１２０）が前記設備機器（６１ａ等）を管理するための情報である管理情報（３７１，３８４，３８５，１３８）が、生成される生成ステップと、
を備えた、
管理プログラム。
【発明の詳細な説明】
【技術分野】
【０００１】
本発明は、プロトコル変換機、プロトコル変換システム、設備機器の管理方法及び管理プログラムに関する。
【背景技術】
【０００２】
設備機器に接続されるためのネットワークである第１ネットワークと、設備機器を管理する管理装置に接続されているネットワークであり第１ネットワークとは異なるプロトコルを用いたネットワークである第２ネットワークとが、プロトコル変換機に接続されている場合に、設備機器が第１ネットワークに接続されることがある。従来このようなとき、管理装置が設備機器を管理するための情報である管理情報は、人間が作成し、プロトコル変換機に入力されることにより設定されている（例えば、特許文献１参照）。
【特許文献１】特開２００２−３５８１１６  （第１−４頁、第１，２図）
【発明の開示】
【発明が解決しようとする課題】
【０００３】
しかし、従来の技術では、設備機器が第１ネットワークに接続されるたびに、管理情報が人間により作成され、管理情報がプロトコル変換機に入力される。そのため、第１ネットワークにおいて接続される設備機器の数が多い場合には、プロトコル変換機に入力する手間が煩雑なことがある。
そこで、本発明の課題は、管理情報をプロトコル変換機に入力する手間を低減することができるプロトコル変換機、プロトコル変換システム、設備機器の管理方法及び管理プログラムを提供することにある。
【課題を解決するための手段】
【０００４】
請求項１に係るプロトコル変換機は、第１ネットワークと第２ネットワークとを接続するプロトコル変換機であって、認識部と、生成部とを備える。第１ネットワークは、設備機器に接続されるためのネットワークである。第２ネットワークは、管理装置に接続されているネットワークであり、第１ネットワークとは異なるプロトコルを用いたネットワークである。管理装置は、設備機器を管理する。認識部は、設備機器が第１ネットワークに接続されたことを認識する。生成部は、認識部が認識した情報に基づき、管理情報を生成する。管理情報は、管理装置が設備機器を管理するための情報である。
【０００５】
このプロトコル変換機では、第１ネットワークを経由して設備機器に問い合わせる信号を送信することができる。第１ネットワークを経由して設備機器から応答の信号を受信することができる。認識部が、応答の信号を受け取ることができる。これにより、認識部が、設備機器が第１ネットワークに接続されたことを認識する。生成部が、認識部が認識した情報を認識部から受け取ることができる。生成部が、認識部が認識した情報に基づき、管理情報を生成する。
【０００６】
したがって、設備機器を自動的に認識して管理情報を自動的に生成することができる。このため、設備機器が第１ネットワークに接続されたときに、管理情報をプロトコル変換機に入力する手間を低減することができる。
請求項２に係るプロトコル変換機は、請求項１に記載のプロトコル変換機であって、認識部は、他の設備機器が第１ネットワークにおいて追加された場合にも、他の設備機器が第１ネットワークに接続されたことを認識する。他の設備機器は、設備機器とは異なる設備機器である。生成部は、認識部が認識した情報に基づき、他の管理情報を生成する。他の管理情報は、管理装置が他の設備機器を管理するための情報である。
【０００７】
このプロトコル変換機では、第１ネットワークに設備機器が接続されている。第１ネットワークにおいて、他の設備機器が、追加される。第１ネットワークを経由して他の設備機器に問い合わせる信号を送信することができる。第１ネットワークを経由して他の設備機器から応答の信号を受信することができる。認識部が、応答の信号を受け取ることができる。これにより、認識部が、他の設備機器が第１ネットワークに接続されたことを認識する。生成部が、認識部が認識した情報を認識部から受け取ることができる。生成部が、認識部が認識した情報に基づき、他の管理情報を生成する。
【０００８】
したがって、他の設備機器を自動的に認識して他の管理情報を自動的に生成することができる。このため、他の設備機器が第１ネットワークにおいて追加されたときでも、他の管理情報をプロトコル変換機に入力する手間を低減することができる。
請求項３に係るプロトコル変換機は、請求項１に記載のプロトコル変換機であって、認識部は、設備機器が第１ネットワークにおいて更新された場合にも、設備機器が第１ネットワークに接続されたことを認識する。
【０００９】
このプロトコル変換機では、第１ネットワークに設備機器が接続されている。第１ネットワークにおいて、設備機器が更新される。第１ネットワークを経由して設備機器に問い合わせる信号を送信することができる。第１ネットワークを経由して設備機器から応答の信号を受信することができる。認識部が、応答の信号を受け取ることができる。これにより、認識部が、設備機器が第１ネットワークに接続されたことを認識する。生成部が、認識部が認識した情報を認識部から受け取ることができる。生成部が、認識部が認識した情報に基づき、管理情報を生成する。
【００１０】
したがって、設備機器を自動的に認識して管理情報を自動的に生成することができる。このため、設備機器が第１ネットワークにおいて更新されたときでも、管理情報をプロトコル変換機に入力する手間を低減することができる。
請求項４に係るプロトコル変換機は、請求項１に記載のプロトコル変換機であって、送信部と、受信部とをさらに備える。送信部は、第１ネットワークを経由して設備機器に問い合わせる信号を送信する。受信部は、第１ネットワークを経由して設備機器から応答の信号を受信する。認識部は、応答の信号に基づき、設備機器が第１ネットワークに接続されたことを認識する。
【００１１】
このプロトコル変換機では、送信部が、第１ネットワークを経由して設備機器に問い合わせる信号を送信する。受信部が、第１ネットワークを経由して設備機器から応答の信号を受信する。認識部が、応答の信号を受け取ることができる。これにより、認識部が、応答の信号に基づき、設備機器が第１ネットワークに接続されたことを認識する。生成部が、認識部が認識した情報を認識部から受け取ることができる。生成部が、認識部が認識した情報に基づき、管理情報を生成する。
【００１２】
したがって、設備機器を自動的に認識して管理情報を自動的に生成することができる。このため、設備機器が第１ネットワークに接続されたときに、管理情報をプロトコル変換機に入力する手間を低減することができる。
請求項５に係るプロトコル変換機は、請求項１又は３又は４のいずれかに記載のプロトコル変換機であって、認識部は、第１ネットワークにおける設備機器のアドレスと、設備機器の種類と、を認識する。生成部は、第１ネットワークにおける設備機器のアドレスと、設備機器の種類と、に基づき、管理情報を生成する。
【００１３】
このプロトコル変換機では、第１ネットワークを経由して設備機器に問い合わせる信号を送信することができる。第１ネットワークを経由して設備機器から応答の信号を受信することができる。認識部が、応答の信号を受け取ることができる。これにより、認識部が、第１ネットワークにおける設備機器のアドレスと、設備機器の種類とを、認識する。生成部が、第１ネットワークにおける設備機器のアドレスと、設備機器の種類とを、認識部から受け取ることができる。生成部が、第１ネットワークにおける設備機器のアドレスと、設備機器の種類とに基づき、管理情報を生成する。
【００１４】
したがって、第１ネットワークにおける設備機器のアドレスと、設備機器の種類とに基づき、管理情報を生成するので、管理情報を詳細に決定することができる。
請求項６に係るプロトコル変換機は、請求項１又は３から５のいずれかに記載のプロトコル変換機であって、管理情報は、送受信情報と、第１ネットワークにおける設備機器のアドレスと、設備機器の監視情報又は制御情報と、を含む。送受信情報は、第１ネットワークにおいて送信又は受信されるのに必要な情報である。
【００１５】
このプロトコル変換機では、管理情報が、送受信情報と、第１ネットワークにおける設備機器のアドレスと、設備機器の監視情報又は制御情報とを、含む。
したがって、管理情報が第１ネットワークにおける設備機器のアドレスを含むので、第１ネットワークのプロトコルと第２ネットワークのプロトコルとが異なっていても、管理装置が設備機器を管理することができる。また、管理情報が設備機器の監視情報又は制御情報を含むので、管理装置が設備機器を詳細に管理することができる。
【００１６】
請求項７に係るプロトコル変換機は、請求項６に記載のプロトコル変換機であって、監視情報又は制御情報は、設備機器の種類に基づいて定められている。
このプロトコル変換機では、管理情報が、送受信情報と、第１ネットワークにおける設備機器のアドレスと、設備機器の監視情報又は制御情報とを含む。監視情報又は制御情報が、設備機器の種類に基づいて定められている。
【００１７】
したがって、設備機器と種類が同じである設備機器が複数だけ第１ネットワークに接続された場合に、管理情報と同様の情報をプロトコル変換機に入力する手間を低減することができる。また、設備機器と種類が異なっていても監視情報又は制御情報が設備機器とほぼ同様である設備機器が複数だけ第１ネットワークに接続された場合に、管理情報と同様の情報をプロトコル変換機に入力する手間を低減することができる。
【００１８】
請求項８に係るプロトコル変換機は、請求項１から７のいずれかに記載のプロトコル変換機であって、プロトコル変換部をさらに備える。プロトコル変換部は、第１ネットワークのプロトコルと第２ネットワークのプロトコルとを相互に変換する。第１ネットワークは、クローズドネットワークである。第２ネットワークは、オープンネットワークである。
【００１９】
このプロトコル変換機では、第１ネットワークが、クローズドネットワークである。第１ネットワークでは、メーカ固有のデータ形式でデータが送受信される。第２ネットワークが、オープンネットワークである。第２ネットワークでは、標準化されたデータ形式でデータが送受信される。プロトコル変換部が、第１ネットワークのプロトコルと第２ネットワークのプロトコルとを相互に変換する。
【００２０】
したがって、第１ネットワークがクローズドネットワークであっても、管理装置が設備機器を管理することができる。
請求項９に係るプロトコル変換機は、請求項１又は３から８のいずれかに記載のプロトコル変換機であって、出力部をさらに備える。出力部は、管理情報を外部に出力する。
このプロトコル変換機では、第１ネットワークを経由して設備機器に問い合わせる信号を送信することができる。第１ネットワークを経由して設備機器から応答の信号を受信することができる。認識部が、応答の信号を受け取ることができる。これにより、認識部が、設備機器が第１ネットワークに接続されたことを認識する。生成部が、認識部が認識した情報を認識部から受け取ることができる。生成部が、認識部が認識した情報に基づき、管理情報を生成する。出力部が、管理情報を受け取ることができる。出力部が、管理情報を外部に出力する。
【００２１】
したがって、管理情報をプロトコル変換機から読み出すことができる。このため、管理情報を管理装置へ受け渡すことができる。
請求項１０に係るプロトコル変換機は、請求項９に記載のプロトコル変換機であって、記憶部をさらに備える。記憶部は、管理情報を記憶する。
このプロトコル変換機では、第１ネットワークを経由して設備機器に問い合わせる信号を送信することができる。第１ネットワークを経由して設備機器から応答の信号を受信することができる。認識部が、応答の信号を受け取ることができる。これにより、認識部が、設備機器が第１ネットワークに接続されたことを認識する。生成部が、認識部が認識した情報を認識部から受け取ることができる。生成部が、認識部が認識した情報に基づき、管理情報を生成する。記憶部が、管理情報を生成部から受け取ることができる。記憶部が、管理情報を記憶する。出力部が、記憶部から管理情報を受け取ることができる。出力部が、管理情報を外部に出力する。
【００２２】
したがって、管理情報が記憶されているので、管理情報が生成されてから時間が経過したあとでも、管理情報をプロトコル変換機から読み出すことができる。
請求項１１に係るプロトコル変換機は、請求項１又は３から８のいずれかに記載のプロトコル変換機であって、送信部は、管理情報を第２ネットワーク経由で管理装置へ送信する。
【００２３】
このプロトコル変換機では、第１ネットワークを経由して設備機器に問い合わせる信号を送信することができる。第１ネットワークを経由して設備機器から応答の信号を受信することができる。認識部が、応答の信号を受け取ることができる。これにより、認識部が、設備機器が第１ネットワークに接続されたことを認識する。生成部が、認識部が認識した情報を認識部から受け取ることができる。生成部が、認識部が認識した情報に基づき、管理情報を生成する。送信部が、管理情報を受け取ることができる。送信部が、管理情報を第２ネットワーク経由で管理装置へ送信する。
【００２４】
したがって、管理情報を第２ネットワーク経由で管理装置へ送信する。このため、管理装置が、第２ネットワーク経由で管理情報を受信することができる。
請求項１２に係るプロトコル変換機は、請求項１１に記載のプロトコル変換機であって、記憶部をさらに備える。記憶部は、管理情報を記憶する。
このプロトコル変換機では、第１ネットワークを経由して設備機器に問い合わせる信号を送信することができる。第１ネットワークを経由して設備機器から応答の信号を受信することができる。認識部が、応答の信号を受け取ることができる。これにより、認識部が、設備機器が第１ネットワークに接続されたことを認識する。生成部が、認識部が認識した情報を認識部から受け取ることができる。生成部が、認識部が認識した情報に基づき、管理情報を生成する。記憶部が、管理情報を生成部から受け取ることができる。記憶部が、管理情報を記憶する。送信部が、記憶部に記憶された情報を受け取ることができる。送信部が、記憶部に記憶された情報を第２ネットワーク経由で管理装置へ送信する。
【００２５】
したがって、管理情報が記憶されているので、管理情報が生成されてから時間が経過したあとでも、管理情報を第２ネットワーク経由で管理装置へ送信することができる。このため、管理装置が、第２ネットワーク経由で管理情報を受信することができる。
請求項１３に係るプロトコル変換システムは、請求項１から１２のいずれかに記載のプロトコル変換機と、第１ネットワークと、第２ネットワークとを備える。第１ネットワークは、設備機器に接続されるためのネットワークである。第２ネットワークは、管理装置に接続されているネットワークであり、第１ネットワークとは異なるプロトコルを用いたネットワークである。管理装置は、設備機器を管理する。
【００２６】
このプロトコル変換システムでは、第１ネットワークを経由してプロトコル変換機から設備機器に問い合わせる信号を送信することができる。第１ネットワークを経由して設備機器からプロトコル変換機が応答の信号を受信することができる。これにより、プロトコル変換機が、設備機器が第１ネットワークに接続されたことを認識する。プロトコル変換機が、認識した情報に基づき、管理情報を生成する。
【００２７】
したがって、設備機器を自動的に認識して管理情報を自動的に生成することができる。このため、設備機器が第１ネットワークに接続されたときに、管理情報をプロトコル変換機に入力する手間を低減することができる。
請求項１４に係る設備機器の管理方法は、第１ネットワークと第２ネットワークとを接続するプロトコル変換機において行われる設備機器の管理方法であって、認識ステップと、生成ステップとを備える。第１ネットワークは、設備機器に接続されるためのネットワークである。第２ネットワークは、管理装置に接続されているネットワークであり、第１ネットワークとは異なるプロトコルを用いたネットワークである。管理装置は、設備機器を管理する。認識ステップでは、設備機器が第１ネットワークに接続されたことが認識される。生成ステップでは、認識ステップで認識された情報に基づき、管理情報が生成される。管理情報は、管理装置が設備機器を管理するための情報である。
【００２８】
この設備機器の管理方法では、第１ネットワークを経由して設備機器に問い合わせる信号が送信され得る。第１ネットワークを経由して設備機器から応答の信号が受信され得る。認識ステップにおいて、応答の信号が受け取られ得る。これにより、認識ステップにおいて、設備機器が第１ネットワークに接続されたことが認識される。生成ステップにおいて、認識ステップで認識された情報が受け取られ得る。生成ステップにおいて、認識ステップで認識された情報に基づき、管理情報が生成される。
【００２９】
したがって、設備機器を自動的に認識して管理情報を自動的に生成することができる。このため、設備機器が第１ネットワークに接続されたときに、管理情報をプロトコル変換機に入力する手間を低減することができる。
請求項１５に係る管理プログラムは、第１ネットワークと第２ネットワークとを接続するプロトコル変換機に、設備機器の管理を行わせる管理プログラムであって、認識ステップと、生成ステップとを備える。第１ネットワークは、設備機器に接続されるためのネットワークである。第２ネットワークは、管理装置に接続されているネットワークであり、第１ネットワークとは異なるプロトコルを用いたネットワークである。管理装置は、設備機器を管理する。認識ステップでは、設備機器が第１ネットワークに接続されたことが認識される。生成ステップでは、認識ステップで認識された情報に基づき、管理情報が生成される。管理情報は、管理装置が設備機器を管理するための情報である。
【００３０】
この管理プログラムでは、第１ネットワークを経由して設備機器に問い合わせる信号が送信され得る。第１ネットワークを経由して設備機器から応答の信号が受信され得る。認識ステップにおいて、応答の信号が受け取られ得る。これにより、認識ステップにおいて、設備機器が第１ネットワークに接続されたことが認識される。生成ステップにおいて、認識ステップで認識された情報が受け取られ得る。生成ステップにおいて、認識ステップで認識された情報に基づき、管理情報が生成される。
【００３１】
したがって、設備機器を自動的に認識して管理情報を自動的に生成することができる。このため、設備機器が第１ネットワークに接続されたときに、管理情報をプロトコル変換機に入力する手間を低減することができる。
【発明の効果】
【００３２】
請求項１に係るプロトコル変換機では、設備機器を自動的に認識して管理情報を自動的に生成することができる。このため、設備機器が第１ネットワークに接続されたときに、管理情報をプロトコル変換機に入力する手間を低減することができる。
請求項２に係るプロトコル変換機では、他の設備機器を自動的に認識して他の管理情報を自動的に生成することができる。このため、他の設備機器が第１ネットワークにおいて追加されたときでも、他の管理情報をプロトコル変換機に入力する手間を低減することができる。
【００３３】
請求項３に係るプロトコル変換機では、設備機器を自動的に認識して管理情報を自動的に生成することができる。このため、設備機器が第１ネットワークにおいて更新されたときでも、管理情報をプロトコル変換機に入力する手間を低減することができる。
請求項４に係るプロトコル変換機では、設備機器を自動的に認識して管理情報を自動的に生成することができる。このため、設備機器が第１ネットワークに接続されたときに、管理情報をプロトコル変換機に入力する手間を低減することができる。
【００３４】
請求項５に係るプロトコル変換機では、第１ネットワークにおける設備機器のアドレスと、設備機器の種類とに基づき、管理情報を生成するので、管理情報を詳細に決定することができる。
請求項６に係るプロトコル変換機では、管理情報が第１ネットワークにおける設備機器のアドレスを含むので、第１ネットワークのプロトコルと第２ネットワークのプロトコルとが異なっていても、管理装置が設備機器を管理することができる。また、管理情報が設備機器の監視情報又は制御情報を含むので、管理装置が設備機器を詳細に管理することができる。
【００３５】
請求項７に係るプロトコル変換機では、設備機器と種類が同じである設備機器が複数だけ第１ネットワークに接続された場合に、管理情報と同様の情報をプロトコル変換機に入力する手間を低減することができる。また、設備機器と種類が異なっていても監視情報又は制御情報が設備機器とほぼ同様である設備機器が複数だけ第１ネットワークに接続された場合に、管理情報と同様の情報をプロトコル変換機に入力する手間を低減することができる。
【００３６】
請求項８に係るプロトコル変換機では、第１ネットワークがクローズドネットワークであっても、管理装置が設備機器を管理することができる。
請求項９に係るプロトコル変換機では、管理情報をプロトコル変換機から読み出すことができる。このため、管理情報を管理装置へ受け渡すことができる。
請求項１０に係るプロトコル変換機では、管理情報が記憶されているので、管理情報が生成されてから時間が経過したあとでも、管理情報をプロトコル変換機から読み出すことができる。
【００３７】
請求項１１に係るプロトコル変換機では、管理情報を第２ネットワーク経由で管理装置へ送信する。このため、管理装置が、第２ネットワーク経由で管理情報を受信することができる。
請求項１２に係るプロトコル変換機では、管理情報が記憶されているので、管理情報が生成されてから時間が経過したあとでも、管理情報を第２ネットワーク経由で管理装置へ送信することができる。このため、管理装置が、第２ネットワーク経由で管理情報を受信することができる。
【００３８】
請求項１３に係るプロトコル変換システムでは、設備機器を自動的に認識して管理情報を自動的に生成することができる。このため、設備機器が第１ネットワークに接続されたときに、管理情報をプロトコル変換機に入力する手間を低減することができる。
請求項１４に係る設備機器の管理方法では、設備機器を自動的に認識して管理情報を自動的に生成することができる。このため、設備機器が第１ネットワークに接続されたときに、管理情報をプロトコル変換機に入力する手間を低減することができる。
【００３９】
請求項１５に係る管理プログラムでは、設備機器を自動的に認識して管理情報を自動的に生成することができる。このため、設備機器が第１ネットワークに接続されたときに、管理情報をプロトコル変換機に入力する手間を低減することができる。
【発明を実施するための最良の形態】
【００４０】
［第１実施形態］
図１に、本発明の第１実施形態にかかるプロトコル変換システム１の構成図を示す。また、本発明の第１実施形態にかかるプロトコル変換システム１の構成要素の構成図を図２に示す。
＜プロトコル変換システム１の全体構成＞
図１に示すプロトコル変換システム１は、主として管理装置２０、プロトコル変換機３０、空調機システム群６０（６０ａ，６０ｂ，・・・）、ＢＡＣｎｅｔ（登録商標）ネットワーク１０及びネットワーク５０とを備える。
【００４１】
管理装置２０とプロトコル変換機３０とはＢＡＣｎｅｔネットワーク１０で接続されている。プロトコル変換機３０と空調機システム群６０（６０ａ，６０ｂ，・・・）とはネットワーク５０で接続されている。ＢＡＣｎｅｔネットワーク１０とネットワーク５０とはプロトコル変換機３０で接続されている。
＜空調機システム群６０（６０ａ，６０ｂ，・・・）の構成＞
図１に示すように、空調機システム群６０（６０ａ，６０ｂ，・・・）は、主として室内機群（６２ａ，６３ｂ，６４ａ，・・・，６２ｂ，６３ｂ，６４ｂ，・・・）と室外機群６１（６１ａ，６１ｂ，・・・）とを備える。
【００４２】
室内機群（６２ａ，６３ｂ，６４ａ，・・・，６２ｂ，６３ｂ，６４ｂ，・・・）と室外機群６１（６１ａ，６１ｂ，・・・）とは、ネットワーク５０で接続されている。
＜管理装置２０の構成＞
図１に示す管理装置２０は、通常のパーソナルコンピュータ（ＰＣ、Ｍａｃｉｎｔｏｓｈ（登録商標）など）又はエンジニアリングワークステーション（ＥＷＳ）などと同様の構成である。
【００４３】
図１に示す管理装置２０は、空調機システム群６０（６０ａ，６０ｂ，・・・）の室内機６２ａ，６３ｂ，６４ａ，・・・，６２ｂ，６３ｂ，６４ｂ，・・・（以下、室内機６２ａ等とする）を管理制御する。
＜プロトコル変換機３０の構成＞
図１に示すプロトコル変換機３０は、図２に示すように、主として送信部３１，プロトコル変換部３２，受信部３３，認識部３４，生成部３５，記憶部３６，出力部３７及びデータベース３８を備える。
【００４４】
送信部３１は、ネットワーク５０を経由して、室内機６２ａ等に、問い合わせる信号を送信する。受信部３３は、ネットワーク５０を経由して室内機６２ａ等から応答の信号を受信する。プロトコル変換部３２は、応答の信号を受信部３３から受け取る。プロトコル変換部３２は、応答の信号を、ネットワーク５０のプロトコルから認識部３４が読める形式へ変換する。プロトコル変換部３２は、応答の信号を変換した情報を認識部３４へ渡す。そして、認識部３４は、応答の信号を変換した情報に基づき、室内機６２ａ等がネットワーク５０に接続されたことを認識する。生成部３５は、認識部３４が認識した図５に示す情報３４１を図２に示す認識部３４から受け取る。生成部３５が、認識部３４が認識した図５に示す情報３４１と、図２に示す記憶部３６に記憶されている図６に示す監視・制御情報のテンプレート３６１とから、図７に示すようなＢＡＣｎｅｔのオブジェクト番号３８５を生成する。すなわち、ＢＡＣｎｅｔオブジェクトタイプ３８１及びオブジェクトのインスタンス３８４を生成する。図２に示す記憶部３６が、図７に示すＢＡＣｎｅｔオブジェクトタイプ３８１及びオブジェクトのインスタンス３８４を図２に示す生成部３５から受け取る。記憶部３６が、図７に示すＢＡＣｎｅｔオブジェクトタイプ３８１及びオブジェクトのインスタンス３８４を図２に示すデータベース３８として記憶する。生成部３５が、記憶部３６に記憶されている図７に示すＢＡＣｎｅｔオブジェクトタイプ３８１及びオブジェクトのインスタンス３８４と、図２に示す記憶部３６に記憶されている図６に示す監視・制御情報のテンプレート３６１とから、図８に示すデータファイル３７１を生成する。図２に示す記憶部３６が、図８に示すデータファイル３７１を生成部３５から受け取る。図２に示す記憶部３６が、図８に示すデータファイル３７１を記憶する。図２に示す出力部３７が、記憶部３６に記憶された情報すなわち図８に示すデータファイル３７１を受け取る。図２に示す出力部３７が、図８に示すデータファイル３７１を外部に出力する。
【００４５】
＜ＢＡＣｎｅｔネットワーク１０の構成＞
図１に示すように、ＢＡＣｎｅｔネットワーク１０は、管理装置２０とプロトコル変換機３０とを接続している。
図１に示すＢＡＣｎｅｔネットワーク１０では、図７に示すように、標準化されたデータ形式でデータが送受信される。すなわち、先頭１０ビットにＢＡＣｎｅｔオブジェクトタイプ３８１が備えられた形式で送受信される。また、クライアントとサーバーの関係が固定されておらず、リクエストを要求する側がクライアントで、リクエストに応答する側がサーバーとなる。そのため、クライアントでは、サーバーが持つ図７に示すような標準化されたデータ形式を扱うことで、装置間のインターオペラビリティが実現される。ゆえに、ＢＡＣｎｅｔネットワーク１０は、オープンネットワークである。
【００４６】
＜ネットワーク５０の構成＞
図１に示すネットワーク５０は、ＢＡＣｎｅｔネットワーク１０とは異なる方式のネットワークであり、メーカ固有のネットワークである。
図１に示すネットワーク５０では、メーカ固有のデータ形式でデータが送受信される。すなわち、ネットワーク５０は、クローズドネットワークである。
【００４７】
＜認識部３４が認識する情報３４１の構成＞
図２に示す認識部３４が認識する図４に示す情報３４１は、図５に示すように、主として室内機のアドレス３４２と室内機の種類３４３とを備える。室内機のアドレス３４２は、図１に示すネットワーク５０における室内機６２ａ等のアドレスである。室内機の種類３４３は、図１に示すネットワーク５０における室内機６２ａ等の種類である。
【００４８】
図５に示す室内機のアドレス３４２と室内機の種類３４３とは、図１に示す室内機６２ａ等に記憶されており、図２に示す認識部３４により、図１に示す室内機６２ａ等からの応答の信号に基づき、認識される。
＜記憶部３６が記憶しているテンプレート３６１の構成＞
図２に示す記憶部３６が記憶している図４に示すテンプレート３６１は、図６に示すように、主としてメンバ番号３６２，名称３６３，オブジェクト名３６４，オブジェクトタイプ３６５，第１の値３６６，第２の値３６７，第３の値３６８及び第４の値３６９を備える。
【００４９】
メンバ番号３６２及びオブジェクトタイプ３６５は、オブジェクトのインスタンスが図２に示す生成部３５により生成される際に、参照される。図６に示すメンバ番号３６２は、図１に示す室内機６２ａ等の監視・制御情報の整理番号である。図６に示す名称３６３は、図１に示す室内機６２ａ等の監視・制御情報の名称である。図６に示すオブジェクト名３６４は、図１に示す室内機６２ａ等の監視・制御情報のＢＡＣｎｅｔネットワーク１０における名称である。図６に示すオブジェクトタイプ３６５は、図１に示す室内機６２ａ等の監視・制御情報のＢＡＣｎｅｔネットワーク１０におけるデータのタイプである。図６に示す第１の値３６６は、図１に示す室内機６２ａ等の監視・制御情報において、室内機６２ａ等が取る具体的な第１の値である。図６に示す第２の値３６７は、図１に示す室内機６２ａ等の監視・制御情報において、室内機６２ａ等が取る具体的な第２の値である。図６に示す第３の値３６８は、図１に示す室内機６２ａ等の監視・制御情報において、室内機６２ａ等が取る具体的な第３の値である。図６に示す第４の値３６９は、図１に示す室内機６２ａ等の監視・制御情報において、室内機６２ａ等が取る具体的な第４の値である。
【００５０】
図６に示すテンプレート３６１は、図１に示す室内機６２ａ等の種類ごとに図２に示す記憶部３６で記憶されている。認識部３４が認識する図５に示す情報３４１のうち室内機の種類３４３が、図２に示す生成部３５により受け取られる。生成部３５は、図５に示す室内機の種類３４３に基づき、図２に示す記憶部３６が記憶している図６に示すテンプレート３６１を選択する。
【００５１】
＜記憶部３６のデータベース３８の構成＞
図４に示すＢＡＣｎｅｔのオブジェクト番号３８５は、図７に示すように、４バイトのデータで構成される。４バイトのデータのうち、上位１０ビットは、ＢＡＣｎｅｔオブジェクトタイプ３８１である。下位２バイトは、室内機のアドレス３８２の１バイトと、メンバ番号３８３の１バイトとで構成される。ＢＡＣｎｅｔのオブジェクト番号３８５のうち、ＢＡＣｎｅｔオブジェクトタイプ３８１以外の部分が、オブジェクトのインスタンス３８４である。
【００５２】
図１に示すＢＡＣｎｅｔネットワーク１０では、図７に示すＢＡＣｎｅｔオブジェクトタイプ３８１及びオブジェクトのインスタンス３８４を用いてデータの送受信が行われる。図１に示すＢＡＣｎｅｔネットワーク１０のプロトコルにより、上位１０ビットは、図７に示すように、必ずＢＡＣｎｅｔオブジェクトタイプとしなければならないこととなっている。
【００５３】
図４に示すように、ＢＡＣｎｅｔのオブジェクト番号３８５は、図２に示す認識部３４が認識する図４に示す情報３４１と、図２に示す記憶部３６が記憶している図４に示すテンプレート３６１とから、生成される。具体的には、図７に示すＢＡＣｎｅｔオブジェクトタイプ３８１は、図６に示すオブジェクトタイプ３６５をもとに決められる。図７に示す室内機のアドレス３８２は、図５に示す室内機のアドレス３４２をもとに決められる。図７に示すメンバ番号３８３は、図６に示すメンバ番号３６２をもとに決められる。
【００５４】
＜出力部３７から出力されるデータファイル３７１の構成＞
図２に示す出力部３７から出力される図４に示すデータファイル３７１は、図８に示すように、主としてオブジェクトタイプ３７２，名称３７３，メンバ番号３７４、室内機のアドレス３７５及びオブジェクトＩＤ３７６を備える。
図８に示すように、データファイル３７１は、ＣＳＶ（Ｃｏｍｍａ  Ｓｅｐａｒａｔｅｄ  Ｖａｌｕｅ）形式である。
【００５５】
図４に示すように、データファイル３７１は、図２に示すデータベース３８の情報すなわちＢＡＣｎｅｔのオブジェクト番号３８５と、記憶部３６が記憶している図４に示すテンプレート３６１とから、図２に示す生成部３５により生成され、記憶部３６に記憶される。具体的には、図８に示すＢＡＣｎｅｔオブジェクトタイプ３７２は、図７に示すオブジェクトタイプ３８１をもとに決められる。図８に示す名称３７３は、図６に示す名称３６３をもとに決められる。図８に示すメンバ番号３７４は、図６に示すメンバ番号３６２又は図７に示すメンバ番号３８３をもとに決められる。図８に示す室内機のアドレス３７５は、図７に示す室内機のアドレス３８２をもとに決められる。図８に示すオブジェクトＩＤ３７６は、図７に示すＢＡＣｎｅｔのオブジェクト番号３８５をもとに決められる。
【００５６】
＜プロトコル変換システム１が室内機６２ａ等を管理する処理の流れ＞
図１に示すプロトコル変換システム１が室内機６２ａ等を管理する処理の流れを、図３に示すフローチャートを用いて説明する。
図３に示すステップＳ１では、室内機が接続される。すなわち、図１に示す室内機６２ａ等がネットワーク５０に接続される。
【００５７】
図３に示すステップＳ２では、問い合わせが行われる。すなわち、図２に示す送信部３１により、ネットワーク５０を経由して図１に示す室内機６２ａ等に問い合わせる信号が送信される。
図３に示すステップＳ３では、応答が行われる。すなわち、図１に示す室内機６２ａ等により、問い合わせる信号に応答して応答の信号がプロトコル変換機３０へネットワーク５０経由で送信される。図２に示すプロトコル変換機３０の受信部３３により、図１に示すネットワーク５０を経由して室内機６２ａ等から応答の信号が受信される。
【００５８】
図３に示すステップＳ４では、室内機の接続が認識される。すなわち、図２に示すプロトコル変換部３２により、応答の信号が受信部３３から受け取られる。プロトコル変換部３２により、応答の信号が、ネットワーク５０のプロトコルから認識部３４が読める形式へ変換される。プロトコル変換部３２により、応答の信号を変換した情報が認識部３４へ渡される。そして、認識部３４により、応答の信号を変換した情報に基づき、図１に示す室内機６２ａ等がネットワーク５０に接続されたことが認識される。具体的には、図５に示すような情報３４１が認識される。
【００５９】
図３に示すステップＳ５では、オブジェクトのインスタンスが生成される。すなわち、図２に示す生成部３５により、認識部３４が認識した図５に示す情報３４１が図２示す認識部３４から受け取られる。生成部３５により、認識部３４が認識した図５に示す情報３４１と、図２に示す記憶部３６に記憶されている図６に示す監視・制御情報のテンプレート３６１とから、図７に示すようなＢＡＣｎｅｔオブジェクトタイプ３８１及びオブジェクトのインスタンス３８４が生成される。
【００６０】
図３に示すステップＳ６では、オブジェクトのインスタンスが記憶される。すなわち、図２に示す記憶部３６により、図７に示すＢＡＣｎｅｔオブジェクトタイプ３８１及びオブジェクトのインスタンス３８４が図２に示す生成部３５から受け取られる。記憶部３６により、図７に示すＢＡＣｎｅｔオブジェクトタイプ３８１及びオブジェクトのインスタンス３８４が図２に示すデータベース３８として記憶される。
【００６１】
図３に示すステップＳ７では、データファイルが読み出される。すなわち、図１に示すプロトコル変換機３０の管理者から、読み出しの指令がプロトコル変換機３０により受けられる。図２に示す生成部３５により、記憶部３６に記憶されている図７に示すＢＡＣｎｅｔオブジェクトタイプ３８１及びオブジェクトのインスタンス３８４と、図２に示す記憶部３６に記憶されている図６に示す監視・制御情報のテンプレート３６１とから、図８に示すデータファイル３７１が生成される。図２に示す記憶部３６により、図８に示すデータファイル３７１が生成部３５から受け取られる。図２に示す記憶部３６により、図８に示すデータファイル３７１が記憶される。図２に示す出力部３７により、記憶部３６に記憶された情報すなわち図８に示すデータファイル３７１が受け取られる。図２に示す出力部３７により、図８に示すデータファイル３７１が外部に出力される。
【００６２】
図３に示すステップＳ８では、データファイルの内容が管理装置へ入力される。すなわち、図１に示すプロトコル変換機３０の管理者により、図８に示すデータファイル３７１が図１に示すプロトコル変換機３０の管理者から管理装置２０の管理者へと受け渡される。そして、図８に示すデータファイル３７１の内容が図１に示す管理装置２０へ入力される。
【００６３】
図３に示すステップＳ９では、リンケージが行われる。すなわち、図１に示す管理装置２０へ入力された内容と図８に示すデータファイル３７１の内容とが照合される。
＜プロトコル変換システム１に関する特徴＞
（１）
ここでは、図２に示す送信部３１が、ネットワーク５０を経由して図１に示す室内機６２ａ等に問い合わせる信号を送信する。図２に示す受信部３３が、ネットワーク５０を経由して図１に示す室内機６２ａ等から応答の信号を受信する。図２に示す認識部３４が、応答の信号を受け取る。これにより、認識部３４が、図１に示す室内機６２ａ等がネットワーク５０に接続されたことを認識する。図２に示す生成部３５が、認識部３４が認識した図５に示す情報３４１を図２に示す認識部３４から受け取る。生成部３５が、認識部３４が認識した図５に示す情報３４１に基づき、図７に示すＢＡＣｎｅｔオブジェクトタイプ３８１及びオブジェクトのインスタンス３８４を生成する。
【００６４】
したがって、図１に示す室内機６２ａ等を自動的に認識して図７に示すオブジェクトのインスタンス３８４を自動的に生成する。このため、図１に示す室内機６２ａ等がネットワーク５０に接続されたときに図７に示すオブジェクトのインスタンス３８４を図１に示すプロトコル変換機３０に入力する手間が低減される。
（２）
ここでは、図１に示すネットワーク５０に室内機６２ａ等が接続されている。ネットワーク５０において、他の室内機６２ａ等が、追加される。図２に示す送信部３１が、ネットワーク５０を経由して他の室内機６２ａ等に問い合わせる信号を送信する。受信部３３が、ネットワーク５０を経由して他の室内機６２ａ等から応答の信号を受信する。認識部３４が、応答の信号を受け取る。これにより、認識部３４が、他の室内機６２ａ等がネットワーク５０に接続されたことを認識する。生成部３５が、認識部３４が認識した図５に示す情報３４１を図２に示す認識部３４から受け取る。生成部３５が、認識部３４が認識した情報３４１に基づき、他の図７に示すＢＡＣｎｅｔオブジェクトタイプ３８１及びオブジェクトのインスタンス３８４を生成する。
【００６５】
したがって、他の図１に示す室内機６２ａ等を自動的に認識して他の図７に示すオブジェクトのインスタンス３８４を自動的に生成する。このため、他の図１に示す室内機６２ａ等がネットワーク５０において追加されたときでも、他の図７に示すオブジェクトのインスタンス３８４を図１に示すプロトコル変換機３０に入力する手間が低減される。
（３）
ここでは、図１に示すネットワーク５０に室内機６２ａ等が接続されている。ネットワーク５０において、室内機６２ａ等が、更新される。図２に示す送信部３１が、ネットワーク５０を経由して室内機６２ａ等に問い合わせる信号を送信する。受信部３３が、ネットワーク５０を経由して室内機６２ａ等から応答の信号を受信する。認識部３４が、応答の信号を受け取る。これにより、認識部３４が、室内機６２ａ等がネットワーク５０に接続されたことを認識する。生成部３５が、認識部３４が認識した図５に示す情報３４１を図２に示す認識部３４から受け取る。生成部３５が、認識部３４が認識した情報３４１に基づき、他の図７に示すＢＡＣｎｅｔオブジェクトタイプ３８１及びオブジェクトのインスタンス３８４を生成する。
【００６６】
したがって、他の図１に示す室内機６２ａ等を自動的に認識して他の図７に示すオブジェクトのインスタンス３８４を自動的に生成する。このため、図１に示す室内機６２ａ等がネットワーク５０において更新されたときでも、図７に示すオブジェクトのインスタンス３８４を図１に示すプロトコル変換機３０に入力する手間が低減される。
（４）
ここでは、図２に示す送信部３１が、ネットワーク５０を経由して図１に示す室内機６２ａ等に問い合わせる信号を送信する。図２に示す受信部３３が、ネットワーク５０を経由して図１に示す室内機６２ａ等から応答の信号を受信する。図２に示す認識部３４が、応答の信号を受け取る。これにより、認識部３４が、図１に示す室内機６２ａ等について、ネットワーク５０における図５に示す室内機のアドレス３４２と、室内機の種類３４３とを、認識する。図２に示す生成部３５が、ネットワーク５０における図５に示す室内機のアドレス３４２と、室内機の種類３４３とを、図２に示す認識部３４から受け取る。生成部３４が、ネットワーク５０における図５に示す室内機のアドレス３４２と、室内機の種類３４３とに基づき、図７に示すＢＡＣｎｅｔオブジェクトタイプ３８１及びオブジェクトのインスタンス３８４を生成する。
【００６７】
したがって、図１に示すネットワーク５０における図５に示す室内機のアドレス３４２と、室内機の種類３４３とに基づき、図７に示すオブジェクトのインスタンス３８４を生成するので、図７に示すオブジェクトのインスタンス３８４が詳細に決定される。
（５）
ここでは、図７に示すＢＡＣｎｅｔのオブジェクト番号３８５が、ＢＡＣｎｅｔオブジェクトタイプ３８１と、図１に示すネットワーク５０における室内機６２ａ等の図７に示す室内機のアドレス３８２と、メンバ番号３８３すなわち室内機６２ａ等の図６に示すような監視・制御情報とを、含む。
【００６８】
したがって、図７に示すＢＡＣｎｅｔのオブジェクト番号３８５が図１に示すネットワーク５０における室内機６２ａ等の図７に示す室内機のアドレス３８２を含むので、図１に示すネットワーク５０のプロトコルとＢＡＣｎｅｔネットワーク１０のプロトコルとが異なっていても、管理装置２０により室内機６２ａ等が管理される。また、図７に示すＢＡＣｎｅｔのオブジェクト番号３８５がメンバ番号３８３すなわち図１に示す室内機６２ａ等の図６に示すような監視・制御情報を含むので、図１に示す管理装置２０により室内機６２ａ等が詳細に管理される。
【００６９】
（６）
ここでは、図７に示すＢＡＣｎｅｔのオブジェクト番号３８５が、ＢＡＣｎｅｔオブジェクトタイプ３８１と、図１に示すネットワーク５０における室内機６２ａ等の図７に示す室内機のアドレス３８２と、メンバ番号３８３とを、含む。メンバ番号３８３を含む図６に示す監視・制御情報のテンプレート３６１が、図１に示す室内機６２ａ等の種類に基づいて定められている。
【００７０】
したがって、室内機６２ａ等と種類が同じである室内機６２ａ等が複数だけネットワーク５０に接続された場合に、図７に示すＢＡＣｎｅｔのオブジェクト番号３８５と同様の情報を図１に示すプロトコル変換機３０に入力する手間が低減される。また、室内機６２ａ等と種類が異なっていても監視情報又は制御情報が室内機６２ａ等とほぼ同様である室内機６２ａ等が複数だけネットワーク５０に接続された場合に、図７に示すＢＡＣｎｅｔのオブジェクト番号３８５と同様の情報を図１に示すプロトコル変換機３０に入力する手間が低減される。
【００７１】
（７）
ここでは、図１に示すネットワーク５０が、クローズドネットワークである。ネットワーク５０では、メーカ固有のデータ形式でデータが送受信される。ＢＡＣｎｅｔネットワーク１０が、オープンネットワークである。ＢＡＣｎｅｔネットワーク１０では、標準化されたデータ形式でデータが送受信される。図２に示すプロトコル変換部３０が、ネットワーク５０のプロトコルとＢＡＣｎｅｔネットワーク１０のプロトコルとを相互に変換する。
【００７２】
したがって、ネットワーク５０がクローズドネットワークであっても、図１に示す管理装置２０により室内機６２ａ等が管理される。
（８）
ここでは、図２に示す送信部３１が、ネットワーク５０を経由して図１に示す室内機６２ａ等に問い合わせる信号を送信する。図２に示す受信部３３が、ネットワーク５０を経由して図１に示す室内機６２ａ等から応答の信号を受信する。図２に示す認識部３４が、応答の信号を受け取る。これにより、認識部３４が、図１に示す室内機６２ａ等がネットワーク５０に接続されたことを認識する。図２に示す生成部３５が、認識部３４が認識した図５に示す情報３４１を図２に示す認識部３４から受け取る。生成部３５が、認識部３４が認識した図５に示す情報３４１に基づき、図７に示すＢＡＣｎｅｔオブジェクトタイプ３８１及びオブジェクトのインスタンス３８４を生成する。図２に示す記憶部３６が、図７に示すＢＡＣｎｅｔオブジェクトタイプ３８１及びオブジェクトのインスタンス３８４を図２に示す生成部３５から受け取る。記憶部３６が、図７に示すＢＡＣｎｅｔオブジェクトタイプ３８１及びオブジェクトのインスタンス３８４を図２に示すデータベース３８として記憶する。生成部３５が、記憶部３６に記憶されている図７に示すＢＡＣｎｅｔオブジェクトタイプ３８１及びオブジェクトのインスタンス３８４と、図２に示す記憶部３６に記憶されている図６に示す監視・制御情報のテンプレート３６１とから、図８に示すデータファイル３７１を生成する。図２に示す記憶部３６が、図８に示すデータファイル３７１を生成部３５から受け取る。図２に示す記憶部３６が、図８に示すデータファイル３７１を記憶する。図２に示す出力部３７が、記憶部３６に記憶された情報すなわち図８に示すデータファイル３７１を受け取る。図２に示す出力部３７が、データファイル３７１を外部に出力する。
【００７３】
したがって、図８に示すデータファイル３７１が図１に示すプロトコル変換機３０から読み出される。このため、図８に示すデータファイル３７１が図１に示す管理装置２０へ受け渡される。
＜第１実施形態の変形例＞
（Ａ）図１においてプロトコル変換機３０には、空調機システム群６０（６０ａ，６０ｂ，・・・）だけでなく、設備機器群８０（８１，８２，８３，８４，８５，・・・）が接続されていてもよい。ここで、設備機器群８０（８１，８２，８３，８４，８５，・・・）は、主として制御機器８１と設備機器８２，８３，８４，８５，・・・とを備える。設備機器群８０（８１，８２，８３，８４，８５，・・・）とプロトコル変換機３０とは、ネットワーク５０により接続されている。設備機器群８０（８１，８２，８３，８４，８５，・・・）も、空調機システム群６０（６０ａ，６０ｂ，・・・）と同様に、プロトコル変換機３０からの問い合わせの信号を受信して応答の信号を送信する。したがって、図１に示す設備機器８２，８３，８４，８５，・・・を自動的に認識してオブジェクトのインスタンスを自動的に生成することができる。このため、設備機器８２，８３，８４，８５，・・・がネットワーク５０に接続されたときに図７に示すオブジェクトのインスタンス３８４を図１に示すプロトコル変換機３０に入力する手間が低減される。
【００７４】
（Ｂ）図２に示すプロトコル変換機３０は、出力部３７を備えていなくてもよい。すなわち、生成部３５で図８に示すようなデータファイル３７１が生成されずに、図７に示すＢＡＣｎｅｔのオブジェクト番号３８５及びオブジェクトのインスタンス３８４が、図１に示すＢＡＣｎｅｔネットワーク１０経由でプロトコル変換機３０から管理装置２０に送信されてもよい。すなわち、図２に示す記憶部３６のデータベース３８に記憶されている図７に示すＢＡＣｎｅｔオブジェクトタイプ３８１及びオブジェクトのインスタンス３８４が、図２に示す生成部３５と認識部３４とを経由して、プロトコル変換部３２へ受け渡される。図７に示すＢＡＣｎｅｔオブジェクトタイプ３８１及びオブジェクトのインスタンス３８４が、図２に示すプロトコル変換部３２により、認識部３４が読める形式からＢＡＣｎｅｔネットワーク１０のプロトコルへ変換され、送信部３１へ受け渡される。図７に示すＢＡＣｎｅｔオブジェクトタイプ３８１及びオブジェクトのインスタンス３８４を変換した情報は、図２に示す送信部３１により、ＢＡＣｎｅｔネットワーク１０経由で図１に示す管理装置２０へ送信される。この場合、管理装置２０が、ＢＡＣｎｅｔネットワーク１０経由でオブジェクトのインスタンスを受信することができる。
【００７５】
（Ｃ）図１に示す管理装置２０により管理されるのは、室内機６２ａ等だけでなく、室外機６１ａ，６１ｂ，・・・を含んでもよい。この場合、図１に示す室外機６１ａ，６１ｂ，・・・を自動的に認識してオブジェクトのインスタンスを自動的に生成することができる。このため、室外機６１ａ，６１ｂ，・・・がネットワーク５０に接続されたときにオブジェクトのインスタンスをプロトコル変換機３０に入力する手間が低減される。
【００７６】
（Ｄ）図８に示すデータファイル３７１は、ＣＳＶ（Ｃｏｍｍａ  Ｓｅｐａｒａｔｅｄ  Ｖａｌｕｅ）形式でなくてもよい。すなわち、スペース区切りのテキスト形式であってもよいし、タブ区切りのテキスト形式であってもよいし、表形式であってもよいし、表計算ソフトウェアの形式であってもよいし、監視・制御情報が把握できる形式であればどのような形式であってもよい。
【００７７】
（Ｅ）図２に示すプロトコル変換機３０は、記憶部を備えなくてもよい。この場合、生成部３５で生成された情報は、そのまま、出力部３７が出力してもよいし、認識部３４及びプロトコル変換部３２を経由して、送信部３１から、ＢＡＣｎｅｔネットワーク１０経由で図１に示す管理装置２０へ送信してもよい。
［第２実施形態］
本発明の第２実施形態にかかるプロトコル変換システム１００を図９に示す。また、本発明の第２実施形態にかかるプロトコル変換システム１００の構成要素の構成図を図１０に示す。図９及び図１０において、図１及び図２のプロトコル変換システム１の構成要素と同様の構成要素は同じ番号で示してある。
【００７８】
このプロトコル変換システム１００は、基本的な構造は第１実施形態と同様であるが、管理装置１２０とプロトコル変換機１３０とが、ＢＡＣｎｅｔネットワーク１０の代わりに、ＬｏｎＷｏｒｋｓ（登録商標）ネットワーク１１０で接続されている点で第１実施形態と異なる。すなわち、管理装置１２０は、主としてニューロンチップ（図示せず）を備える。また、図１０に示す送信部１３１と受信部１３３とは、それぞれ、ニューロンチップ（図示せず）を介して、ＬｏｎＷｏｒｋｓネットワーク１１０に接続される。ここで、ニューロンチップとは、ＬｏｎＷｏｒｋｓ技術が採用されたネットワーク用ＩＣである。このニューロンチップにより、ＬｏｎＴａｌｋ（登録商標）プロトコルに従った通信がなされる。また、プロトコル変換部１３２は、ＬｏｎＴａｌｋプロトコルとネットワーク５０のプロトコルとを相互に変換する。生成部１３５は、図１１に示すようなネットワーク変数１３９を生成する。ネットワーク変数１３９は、図１０に示す記憶部１３６のデータベース１３８に記憶される。これらの点で第１実施形態と異なっている。
【００７９】
また、図９に示すＬｏｎＷｏｒｋｓネットワーク１１０経由で情報が送受信される動作が第１実施形態と異なる。すなわち、ＬｏｎＷｏｒｋｓネットワーク１１０では、データの送受信が標準化された図１１に示すネットワーク変数１３９により行われる。送信側のＬｏｎＷｏｒｋｓノードにおける出力用ネットワーク変数に送信すべき情報が代入されると、受信側のＬｏｎＷｏｒｋｓノードにおけるバインディングされた入力用ネットワーク変数でその情報が受信される。つまり、ネットワーク変数１３９は情報を伝送するための入れ物である。図９に示すＬｏｎＷｏｒｋｓネットワーク１１０における情報の通信では、イーサネット（登録商標）とは異なり、送信元アドレスが指定される必要がない。バインディングを行った際に送信元アドレスが図１１に示すネットワーク変数１３９に設定されているからである。これによりピアツーピア（ｐｅｅｒ  ｔｏ  ｐｅｅｒ）の対等な通信が行われるので、図９に示すＬｏｎＷｏｒｋｓネットワーク１１０はオープンネットワークである点は、第１実施形態と同様である。
【００８０】
図９に示すＬｏｎＷｏｒｋｓネットワーク１１０経由で情報が送受信される動作は、図１２に示すように、以下の点で第１実施形態と異なる。図１２においてネットワーク変数（入力ＮＶａ，入力ＮＶｂ，・・・，出力ＮＶｃ，出力ＮＶｄ，・・・，出力ＮＶｅ，出力ＮＶｆ，・・・，入力ＮＶｇ，入力ＮＶｈ，・・・）は白抜きの矢印で示され、その矢印の方向によって情報の伝達の方向が表される。ネットワーク変数（入力ＮＶａ，入力ＮＶｂ，・・・，出力ＮＶｃ，出力ＮＶｄ，・・・，出力ＮＶｅ，出力ＮＶｆ，・・・，入力ＮＶｇ，入力ＮＶｈ，・・・）の間を接続している実線は、実際の配線を表しているのではなく、ネットワーク変数間のバインドの状態を表している。
【００８１】
図９に示す管理装置１２０からプロトコル変換機１３０へ情報を送信する場合を考える。管理装置１２０において図１２に示す出力用ネットワーク変数（出力ＮＶｅ）に情報が代入されると、その情報がプロトコル変換機１３０へ送信される。その情報は、プロトコル変換機１３０の入力用ネットワーク変数（入力ＮＶａ）に受け取られ、プロトコル変換機１３０に受信される。管理装置１２０における他の出力用ネットワーク変数（出力ＮＶｆ，・・・）やプロトコル変換機１３０における他の入力用ネットワーク変数（入力ＮＶｂ，・・・）についても同様である。
【００８２】
次に、図９に示すプロトコル変換機１３０から管理装置１２０へ情報を送信する場合を考える。プロトコル変換機１３０において図１２に示す出力用ネットワーク変数（出力ＮＶｃ）に情報が代入されると、その情報が管理装置１２０へ送信される。その情報は、管理装置１２０の入力用ネットワーク変数（入力ＮＶｇ）に受け取られ、管理装置１２０に受信される。管理装置１２０における他の入力用ネットワーク変数（入力ＮＶｈ，・・・）やプロトコル変換機１３０における他の出力用ネットワーク変数（出力ＮＶｄ，・・・）についても同様である。
【００８３】
図９に示す室内機６２ａ等を自動的に認識して図１１に示すネットワーク変数１３９を自動的に生成する点は、第１実施形態と同様である。したがって、このような図９に示すプロトコル変換システム１００によっても、室内機６２ａ等がネットワーク５０に接続されたときに図１１に示すネットワーク変数１３９を図９に示すプロトコル変換機３０に入力する手間が低減される。
【００８４】
＜第２実施形態の変形例＞
（Ａ）図１２において、入力用ネットワーク変数（入力ＮＶａ，入力ＮＶｂ，・・・，入力ＮＶｇ，入力ＮＶｈ，・・・）と出力用ネットワーク変数（出力ＮＶｃ，出力ＮＶｄ，・・・，出力ＮＶｅ，出力ＮＶｆ，・・・）とが１対１に対応している場合が示されているが、１対１に対応していなくてもよい。すなわち、１つの入力用ネットワーク変数（入力ＮＶａ，入力ＮＶｂ，・・・，入力ＮＶｇ，入力ＮＶｈ，・・・）に複数の出力用ネットワーク変数（出力ＮＶｃ，出力ＮＶｄ，・・・，出力ＮＶｅ，出力ＮＶｆ，・・・）が対応していてもよい。複数の入力用ネットワーク変数（入力ＮＶａ，入力ＮＶｂ，・・・，入力ＮＶｇ，入力ＮＶｈ，・・・）に１つの出力用ネットワーク変数（出力ＮＶｃ，出力ＮＶｄ，・・・，出力ＮＶｅ，出力ＮＶｆ，・・・）が対応していてもよい。複数の入力用ネットワーク変数（入力ＮＶａ，入力ＮＶｂ，・・・，入力ＮＶｇ，入力ＮＶｈ，・・・）に複数の出力用ネットワーク変数（出力ＮＶｃ，出力ＮＶｄ，・・・，出力ＮＶｅ，出力ＮＶｆ，・・・）が対応していてもよい。入力用ネットワーク変数（入力ＮＶａ，入力ＮＶｂ，・・・，入力ＮＶｇ，入力ＮＶｈ，・・・）又は出力用ネットワーク変数（出力ＮＶｃ，出力ＮＶｄ，・・・，出力ＮＶｅ，出力ＮＶｆ，・・・）に、バインディングされていないネットワーク変数があってもよい。
【産業上の利用可能性】
【００８５】
本発明にかかるプロトコル変換機、プロトコル変換システム、設備機器の管理方法及び管理プログラムは、管理情報をプロトコル変換機に入力する手間を低減することができるという効果を有し、プロトコル変換機、プロトコル変換システム、設備機器の管理方法及び管理プログラム等として有用である。
【図面の簡単な説明】
【００８６】
【図１】本発明の第１実施形態によるプロトコル変換システムの構成図。
【図２】本発明の第１実施形態によるプロトコル変換機の構成図。
【図３】プロトコル変換システムが室内機を管理する処理の流れを示すフローチャート。
【図４】オブジェクトのインスタンス及びデータファイルの生成を示すデータフローダイアグラム。
【図５】認識部が認識する情報を示す概念図。
【図６】記憶部が記憶しているテンプレートを示す概念図。
【図７】ＢＡＣｎｅｔのオブジェクト番号を示す概念図。
【図８】データファイルを示す概念図。
【図９】本発明の第２実施形態によるプロトコル変換システムの構成図。
【図１０】本発明の第２実施形態によるプロトコル変換機の構成図。
【図１１】ネットワーク変数を示す概念図。
【図１２】プロトコル変換システムにおいて情報が送受信される動作を示す概念図。
【符号の説明】
【００８７】
１，１００  プロトコル変換システム
１０  ＢＡＣｎｅｔネットワーク
２０，１２０  管理装置
３０，１３０  プロトコル変換機
５０  ネットワーク
６０  空調機システム群
１１０  ＬｏｎＷｏｒｋｓネットワーク
【図１】
2005130025.tif 000003
【図２】
2005130025.tif 000004
【図３】
2005130025.tif 000005
【図４】
2005130025.tif 000006
【図５】
2005130025.tif 000007
【図６】
2005130025.tif 000008
【図７】
2005130025.tif 000009
【図８】
2005130025.tif 000010
【図９】
2005130025.tif 000011
【図１０】
2005130025.tif 000012
【図１１】
2005130025.tif 000013
【図１２】
2005130025.tif 000014